(57)【要約】      （修正有）【課題】束縛スリーブなどが不意に紐の先端部から引っ張って取外されたり、または、その物品自体や他の付属品を変形させたりする虞れがない、紐付き物品を提供する。【解決手段】束縛スリーブ４１は、その一端部が円管形で紐３の先端部に外嵌するように固定されており、他端部が円柱形で、該円柱形の自由端面における中心近くに雄ねじ４１１がそれから突出するように形成してある。また、円柱体４２の束縛スリーブ４１と連結する端面に雌ねじ４２１がそれから窪むように形成されている上、束縛スリーブ４１の雄ねじ４１１とねじ合っている。上記構成による紐付き物品は、その紐３についている束縛スリーブ４１とその物品自体とが、ねじ合いによって連結されており、連結が丈夫で互いに分離する虞れがない上、その紐３、または新しく取り替えたりする際、簡単な回転で容易に行えるので、その束縛スリーブ４１などが不意に紐３の先端部から引っ張って取外され、または、その物品自体を変形させる虞れがない。【選択図】図３
0003168121.tif 000002
【実用新案登録請求の範囲】
【請求項１】
紐付き物品であって、
その紐の前記物品自体と連結する端部には束縛スリーブがついており、
該束縛スリーブは、その先端で前記物品自体と螺合していることを特徴とする紐付き物品。
【請求項２】
紐付き物品であって、
その紐の前記物品自体と連結する端部には束縛スリーブがついており、
前記物品自体は、円柱体であって、前記束縛スリーブと同軸に並び、且つ、外周面が前記束縛スリーブの外周面の延長面になるように前記束縛スリーブと螺合していることを特徴とする紐付き物品。
【請求項３】
紐付き物品であって、
その紐の前記物品自体と連結する端部には束縛スリーブがついており、
前記物品自体は、前記束縛スリーブと連結するための円柱体を有し、該円柱体は、前記束縛スリーブと同軸に並び、且つ、外周面が前記束縛スリーブの外周面の延長面になるように前記束縛スリーブと螺合していることを特徴とする紐付き物品。
【請求項４】
前記束縛スリーブは、その一端部が円管形で前記紐の先端部に外嵌するように固定されており、他端部が円柱形で、該円柱形の自由端面における中心近くに雄ねじがそれから突出するように形成してあり、
前記物品自体は、前記円柱体の前記束縛スリーブと連結する端面に雌ねじがそれから窪んで前記雄ねじと螺合するように形成されていることを特徴とする請求項２または請求項３に記載の紐付き物品。
【請求項５】
前記円柱体に他の添え物がついていることを特徴とする請求項４に記載の紐付き物品。
【考案の詳細な説明】
【技術分野】
【０００１】
本考案は、紐付き物品に関し、特に、その紐またはその物品自体が取り替えられる紐付き物品に関する。
【背景技術】
【０００２】
紐付き物品は、広範に使用されている物品である。例えば、紐がついていて該紐により身体に縛られたりぶら下げられたりすることができる装身具や該紐によって軒に吊るされる釣行灯、該紐で靴を結ぶと同時に該靴を飾ることができる飾り付き靴紐などが挙げられる。即ち、紐付き物品とは言え、普通は物品の方が主体とされ、紐の方が取り替えられる使い方もあれば、普通は紐の方が主体とされ、物品の方が取り替えられる使い方もある。
図１の紐付き装身具１を例としてみると、その構成は、紐１１と、紐１１の先端部に固定されている束縛スリーブ１１１と、束縛スリーブ１１１に取外し可能に外嵌している円管体の飾り１２とからなっている（従来例１）。
【０００３】
この紐付き装身具１は、構成が簡単であるが、紐の方も飾りの方も取り替えられるようになっているので、装身具としてとても使用が便利である。紐の方または飾りの方を交換しようとする際、その飾り１２を束縛スリーブ１１１から引っ張って取り外すが、その時、飾り１２が引っ張られると同時に、束縛スリーブ１１１も紐１１の先端部から引っ張って取外されてしまい、紐１１の先端部を散らす虞れがある。
【０００４】
また、図２の紐付き物品２を例としてみると、その構成は、紐２１と、その一端部が紐２１の先端部に固定されており、他端部が円環体２２１に形成されているスリーブ２２と、開口付きのループになっている上、円環体２２１をその開口２０１に押し込むことによって円環体２２１に引っ掛けられているリング体２００とからなっている（従来例２）。
【０００５】
この構成の紐付き物品２は、リング体２００を飾りとして採用することにより装身具とされても良く、リング体２００を介して更に飾り物や名札及び／又は守り札を引っ掛けても良い。
この紐付き物品２は、そのスリーブ２２が、リング体２００を引っ掛けている上、従来の紐に使われる束縛スリーブとしても使われており、それに、リング体２００やリング体２００に付け加えられた他の飾りや名札及び／又は守り札を取り外す際、紐２１の先端部を散らす虞れがないようになっている。
【０００６】
しかし、この紐付き物品２におけるリング体２００は、スリーブ２２の円環体２２１をその開口２０１に押し込むことで円環体２２１と引っ掛合いになっているので、開口２０１が広過ぎると、開口２０１から離脱して紛失する可能性があり、一方、開口２０１が狭すぎると、入れにくく、強制に入れると変形しやすいという欠点があり、場合によって円環体２２１の方も変形させる可能性もある。
【０００７】
なお、このリング体２００と円環体２２１の引っ掛けによる繋ぎ方はありふれた物品で、新規で外観性に優れているとはいえないと思われる。
【先行技術文献】
【特許文献】
【０００８】
【特許文献１】台湾実用新案登録第Ｍ３４９２０８号公報
【特許文献２】台湾実用新案登録第Ｍ３６３２２７号公報
【考案の概要】
【考案が解決しようとする課題】
【０００９】
そこで、本考案は、その紐、またはその物品自体を取り外したり新しく取り替えたりする際、その束縛スリーブなどが不意に紐の先端部から引っ張って取外され、紐の先端部を散らしたり、または、その物品自体や他の付属品を変形させたりする虞れがない上、その物品自体の紐などとの連結も丈夫で紐から逸脱して紛失する虞れもない紐付き物品の提供を目的とする。
【課題を解決するための手段】
【００１０】
本考案は、紐付き物品であって、その紐のその物品自体と連結する端部には束縛スリーブがついており、該束縛スリーブは、その先端で前記その物品自体とねじ合いになっていることを特徴とする紐付き物品を提供する。
【００１１】
前記紐付き物品の実施形態として、前記その物品自体は、円柱体であって、前記束縛スリーブと同軸に並び、且つ、外周面が前記束縛スリーブの外周面の延長面になるように前記束縛スリーブとねじ合っている紐付き物品、及び、前記その物品自体は、前記束縛スリーブと連結するための円柱体があって、該円柱体は、前記束縛スリーブと同軸に並び、且つ、外周面が前記束縛スリーブの外周面の延長面になるように前記束縛スリーブとねじ合っている紐付き物品が挙げられる。
【００１２】
また、前記束縛スリーブは、その一端部が円管形で前記紐の先端部に外嵌するように固定されており、他端部が円柱形で、該円柱形の自由端面における中心近くに雄ねじがそれから突出するように形成してあり、前記円柱体の前記束縛スリーブと連結する端面に雌ねじがそれから窪んで前記雄ねじとねじ合えるように形成されていることが好ましい。
【考案の効果】
【００１３】
上記構成による本考案の紐付き物品は、その紐についている束縛スリーブとその物品自体とが、ねじ合いによって連結されているので、連結が丈夫で互いに分離する虞れがない上、その紐、またはその物品自体を取り外したり新しく取り替えたりする際、簡単な回転で容易に行えるので、その束縛スリーブなどが不意に紐の先端部から引っ張って取外され、紐の先端部を散らしたり、または、その物品自体や他の付属品を変形させたりする虞れがない。
【図面の簡単な説明】
【００１４】
【図１】従来例１に係る紐付き装身具を示す図である。
【図２】従来例２に係る紐付き物品を示す図である。
【図３】実施例１に係る紐付き物品を示す図である。
【図４】実施例２に係る紐付き物品を示す図である。
【図５】実施例２に係る紐付き物品の使用例を示す図である。
【図６】実施例３に係る紐付き物品を示す図である。
【図７】実施例４に係る紐付き物品を示す図である。
【考案を実施するための形態】
【００１５】
以下に、幾つかの実施例に基づき、本考案について説明するが、本考案は、これらの実施例に限定される物品ではない。
【００１６】
まず、本考案の実施例１について、図３を用いて説明する。
図３は、実施例１に係る紐付き物品を示す図である。
この紐付き物品は、図示のように、その紐３のその物品自体（この実施例１においては図における円柱体４２だけを指す）と連結する端部には束縛スリーブ４１がついており、該束縛スリーブ４１は、その先端で前記その物品自体とねじ合いになっている。
また、この実施例１におけるその物品自体は、図示のように円柱体４２に形成されている。このその物品自体としての円柱体４２は、束縛スリーブ４１と同軸に並び、且つ、外周面が束縛スリーブ４１の外周面の延長面になるように束縛スリーブ４１とねじ合っている。
【００１７】
もっと詳しく説明すれば、束縛スリーブ４１は、その一端部が円管形で紐３の先端部に外嵌するように固定されており、他端部が円柱形で、該円柱形の自由端面における中心近くに雄ねじ４１１がそれから突出するように形成してある。
また、円柱体４２の束縛スリーブ４１と連結する端面に雌ねじ４２１がそれから窪むように形成されている上、束縛スリーブ４１の雄ねじ４１１とねじ合っている。
【００１８】
上記構成による実施例１の紐付き物品は、その紐３についている束縛スリーブ４１とその物品自体とが、ねじ合いによって連結されているので、連結が丈夫で互いに分離する虞れがない上、その紐３、またはその物品自体を取り外したり新しく取り替えたりする際、簡単な回転で容易に行えるので、その束縛スリーブ４１などが不意に紐３の先端部から引っ張って取外され、紐の先端部を散らしたり、または、その物品自体を変形させたりする虞れがない。
【００１９】
次に、本考案の実施例２について、図４を用いて説明する。
図４は、実施例２に係る紐付き物品を示す図である。
この実施例の紐付き物品は、基本構成が実施例１と同じなので、以下は、その異なる所、即ち紐付き物品のその物品自体の構成だけを説明する。
【００２０】
図示のように、この実施例２におけるその物品自体は、実施例１における円柱体４２と構成がほぼ同じである円柱体４３と、添え物として円柱体４３の自由端部についている蝶蝶形飾り５とからなっている。
この実施例２の紐付き物品は、首にぶら下げられる装身具として使用されることもできるが、図５のようにその紐３で靴を結ぶと同時に該靴を飾る飾り付き靴紐として使用されることもできる。
【００２１】
次に、本考案の実施例３について、図６を用いて説明する。
図６は、実施例３に係る紐付き物品を示す図である。
この実施例の紐付き物品は、基本構成が実施例１と同じなので、以下は、その異なる所、即ち紐付き物品のその物品自体の構成だけを説明する。
【００２２】
図示のように、この実施例３におけるその物品自体は、実施例１における円柱体４２と、添え物として該円柱体４２と束縛スリーブ４１との間に介在している球形飾り６からなっている。
図６をもっと詳しくみると、球形飾り６は、束縛スリーブ４１と連結する端面に雌ねじ６１がそれから窪んで雄ねじ４１１とねじ合えるように形成されており、前記端面と反対側の他端面の中心近くに雄ねじ６２がそれから突出して、円柱体４２の雌ねじ４２１とねじ合えるように形成されている。
また、この実施例における球形飾り６は、２個直列に連結されるように介在しているが、その限りではなく、１個、３個またはもっと多数個が連結されて介在しても良い。
【００２３】
次に、本考案の実施例４について、図７を用いて説明する。
図７は、実施例４に係る紐付き物品を示す図である。
この実施例の紐付き物品もその物品自体だけが実施例１と異なるので、それだけを説明する。
この実施例４におけるその物品自体は、実施例２の変形で、円柱体４４の自由端部は二股に分岐している上、各分岐のにおける端面の中心近くにそれぞれ、雄ねじ４４１が突起するように形成されていて、該雄ねじ４４１によってそれぞれ添え物としての蝶蝶形飾り５が連結されている。
【産業上の利用可能性】
【００２４】
以上のように、本考案による紐付き物品は、その紐、またはその物品自体を取り外したり新しく取り替えたりする際、その束縛スリーブなどが不意に紐の先端部から引っ張って取外され、紐の先端部を散らしたり、または、その物品自体や他の付属品を変形させたりする虞れがない上、その物品自体の紐などとの連結も丈夫で紐から逸脱して紛失する虞れもない。
【符号の説明】
【００２５】
１      紐付き装身具
１１    紐
１１１  束縛スリーブ
１２    飾り
２      紐付き物品
２００  リング体
２０１  開口
２１    紐
２２    スリーブ
２２１  円環体
３      紐
４１    束縛スリーブ
４１１  雄ねじ
４２    円柱体
４２１  雌ねじ
５      蝶蝶形飾り
４３    円柱体
４４    円柱体
４４１  雄ねじ
６      球形飾り
６１    雌ねじ
６２    雄ねじ
【図１】
0003168121.tif 000003
【図２】
0003168121.tif 000004
【図３】
0003168121.tif 000005
【図４】
0003168121.tif 000006
【図５】
0003168121.tif 000007
【図６】
0003168121.tif 000008
【図７】
0003168121.tif 000009